(57)【要約】【課題】  折り畳み型の携帯機器において、第１の筐体および第２の筐体の傷つきや破壊を抑制する。【解決手段】  第１の筐体２とヒンジ部３とを回動軸５を介して回動自在に設け、ヒンジ部３と第２の筐体４とを回動軸５と略直交する回転軸６を介して回転自在に構成する。そして、第２の筐体４のヒンジ部３側端部に、第１の筐体２を構成する材質より低硬度の材質からなる緩衝部材１７を設ける。【選択図】  図１
2005286429.tif 000002
【特許請求の範囲】
【請求項１】
第１の筐体と、前記第１の筐体に対して第１の回動軸を中心として回動自在に設けられたヒンジ部と、前記ヒンジ部に対して前記第１の回動軸と略直交する第２の回転軸を中心として回転自在に設けられた第２の筐体とを備えた携帯機器において、
前記第２の筐体における前記ヒンジ部側の端部に緩衝部材が備えられていることを特徴とする携帯機器。
【請求項２】
前記緩衝部材は、前記第１の筐体を構成する材質より低硬度の材質からなることを特徴とする請求項１に記載の携帯機器。
【請求項３】
前記緩衝部材は、弾性材料からなることを特徴とする請求項１に記載の携帯機器。
【請求項４】
前記緩衝部材は、
前記第２の筐体を前記第２の回転軸を中心として前記ヒンジ部に対して９０度回転させた状態で、前記ヒンジ部を前記第１の回転軸を中心として前記第１の筐体に対して回動させたときに、
前記第１の筐体に接触する前記第２の筐体の角部に備えられていることを特徴とする請求項１に記載の携帯機器。
【請求項５】
前記第２の筐体は、前記ヒンジ部に対する前記第２の回転軸を中心とする回転範囲が、０度以上１８０度以下であることを特徴とする請求項４に記載の携帯機器。
【請求項６】
前記第１の筐体は、前記第２の筐体を前記第２の回転軸を中心として前記ヒンジ部に対して０度または１８０度回転させた状態で、前記ヒンジ部を前記第１の回転軸を中心として前記第１の筐体に対して回動させたときに、前記第２の筐体によって閉塞される部位に操作キーを備えており、
前記操作キーの表面は、前記緩衝部材を構成する材質より高硬度の材料からなることを特徴とする請求項４に記載の携帯機器。
【請求項７】
前記操作キーのうち、前記第２の筐体を前記第２の回転軸を中心として前記ヒンジ部に対して９０度回転させた状態で、前記ヒンジ部を前記第１の回転軸を中心として前記第１の筐体に対して回動させたときに前記第２筐体が接触する部位に配置される操作キーは、他の部位に配置される操作キーよりも耐久性の高い材質からなることを特徴とする請求項６に記載の携帯機器。
【発明の詳細な説明】
【技術分野】
【０００１】
本発明は、携帯機器に関し、特に、２つの筐体が回動可能に取り付けられて構成される携帯機器に関する。
【背景技術】
【０００２】
従来、ヒンジを介して２つの筐体が開閉自在に連結された折り畳み型の携帯電話機が広く普及している。このタイプの携帯電話機では、一般的に、一方の筐体に表示部やレシーバなどが設けられ、他方の筐体には、操作ボタンやマイクなどが設けられている。さらに最近になって、互いに独立して回転する２つの回転軸を備えた折り畳み型の携帯電話機が販売され始めている。図１４は、２つの回転軸を備えた従来の折り畳み型の携帯電話機１０１における開いた状態を示す斜視図である。図１５は、図１４に示した従来の携帯電話機１０１における閉じた状態を示す斜視図である。図１６は、図１４および図１５に示した従来の携帯電話機１０１における閉じた状態を、図１５中の矢印ＸＩＩＩ方向から見た斜視図である。
【０００３】
図１４〜図１６に示すように、携帯電話機１０１は、表面１０３ａを有する筐体１０３と、筐体１０３に対して矢印１５１に示す方向に回動可能に設けられた筐体１０７および１０８と、筐体１０３内に収容された図示しないカメラ部とを備える。筐体１０７の内部には、筐体１０３と筐体１０７とを回動可能に連結し、筐体１０７と筐体１０８とを回転可能に連結する図示しないヒンジ装置が収容されている。
【０００４】
筐体１０３には、筐体１０３のヒンジ装置側端部における表面１０３ａの両端部に、表面１０３ａから突出するヒンジ支持部１０４ｍおよび１０４ｎが形成されている。ヒンジ支持部１０４ｍおよび１０４ｎは、互いに距離を隔てて設けられている。表面１０３ａ上のヒンジ支持部１０４ｍとヒンジ支持部１０４ｎとの間には、筐体１０７が位置決めされている。ヒンジ支持部１０４ｍおよび１０４ｎと筐体１０７とが、筐体１０７内に収容されたヒンジ装置によって連結されている。
【０００５】
筐体１０３の表面１０３ａには、複数の操作ボタン１１８が設けられており、表面１０３ａの反対側に位置する筐体１０３の表面１０３ｂには、スピーカ１２２が設けられている。表面１０３ｂに対して段差をもって形成された表面１５３には、カメラ部の撮影レンズ１１４が露出している。撮影レンズ１１４は、携帯電話機１０１を開いた状態において、筐体１０８と隣り合う位置に設けられている。カメラ部は、表面１０３ａと表面１５３との間に挟まれた筐体１０３内の空間に配置されている。筐体１０８の表面１０８ａには、メイン表示部１１６が設けられている。
【０００６】
図１７は、携帯電話機１０１において、図１４に示した状態から、メイン表示部が設けられた筐体１０８を回転させた場合の携帯電話機を示す斜視図である。この図に示すように、筐体１０８は、筐体１０７に対して矢印１５２に示す方向に回転可能に設けられている。これにより、メイン表示部１１６が設けられた表面１０８ａを適当な方向に向けることができる。
【０００７】
また別に、開放状態および閉塞状態に拘わらず操作キーの操作を可能にして操作性の向上を図ることを目的として、第１の筐体と第２の筐体とを接続するヒンジ部に、第１の筐体と第２の筐体を折り畳んだ状態において操作可能な副操作キーを設けたモバイル情報端末機器が、特許文献１に開示されている。
【特許文献１】特開２００３−２２９９４１号公報（公開日２００３年８月１５日）
【発明の開示】
【発明が解決しようとする課題】
【０００８】
前述のような２つの回転軸を備えた折り畳み型の携帯電話機では、表示部を内面に閉塞した状態および外面に露出した状態で折り畳むことができる。このため、持ち運び時における表示部の傷つき防止を図りつつ、折り畳んだ状態で表示部を使用することができる等、機器の使用用途を広げることができる。
【０００９】
しかしながら、第１の筐体および第２の筐体の回動途中で第２の筐体を回転させたり、第２の筐体の回転途中で第１の筐体および第２の筐体を回動させると、第１の筐体および第２の筐体が互いに接触し、第１の筐体および第２の筐体に傷が付いたり第１の筐体および第２の筐体を破壊する恐れがあるという問題がある。
【００１０】
本発明は、上記の問題点に鑑みてなされたものであり、その目的は、第１筐体および第２筐体の傷つきや破壊を抑制することができる折り畳み型の携帯機器を提供することである。
【課題を解決するための手段】
【００１１】
前記目的を達成するために、本発明の携帯機器は、第１の筐体と、前記第１の筐体に対して第１の回動軸を中心として回動自在に設けられたヒンジ部と、前記ヒンジ部に対して前記第１の回動軸と略直交する第２の回転軸を中心として回転自在に設けられた第２の筐体とを備えた携帯機器において、前記第２の筐体における前記ヒンジ部側の端部に緩衝部材が備えられていることを特徴としている。
【００１２】
このような構成によれば、第１の筐体および第２の筐体の第１の回転軸を中心とした回動途中で第２の筐体を第２の回転軸を中心として回転させたり、第２の筐体の第２の回転軸を中心とした回転途中で第１の筐体および第２の筐体を第１の回転軸を中心として回動させても、第１の筐体と接触する第２の筐体の部位に緩衝部材が設けられているので、第１の筐体および第２筐体の傷つきや破壊を抑制することができる。
【００１３】
また、本発明の携帯機器は、前記構成に加えて、前記緩衝部材が、前記第１の筐体を構成する材質より低硬度の材質からなる構成としてもよい。
【００１４】
このような構成によれば、第１の筐体および第２の筐体の第１の回転軸を中心とした回動途中で第２の筐体を第２の回転軸を中心として回転させたり、第２の筐体の第２の回転軸を中心とする回転途中で第１の筐体および第２の筐体を第１の回転軸を中心として回動させても、第１の筐体と接触する第２の筐体の部位が、第１の筐体を構成する材質より低硬度の材質からなるので、第１の筐体および第２筐体の傷つきや破壊を抑制することができる。
【００１５】
また、この場合、前記緩衝部材が弾性材料からなる構成としてもよい。
【００１６】
このような構成によれば、第１の筐体および第２の筐体の第１の回転軸を中心とした回動途中で第２の筐体を第２の回転軸を中心として回転させたり、第２の筐体の第２の回転軸を中心とする回転途中で第１の筐体および第２の筐体を第１の回転軸を中心として回動させても、第１の筐体と接触する第２の筐体の部位が、第１の筐体を構成する材質より低硬度の弾性材料からなるので、第１の筐体および第２筐体の傷つきや破壊をより抑制することができる。
【００１７】
また、本発明の携帯機器は、前記構成に加えて、前記緩衝部材が、前記第２の筐体を前記第２の回転軸を中心として前記ヒンジ部に対して９０度回転させた状態で、前記ヒンジ部を前記第１の回転軸を中心として前記第１の筐体に対して回動させたときに、前記第１の筐体に接触する前記第２の筐体の角部に備えられている構成としてもよい。
【００１８】
このような構成によれば、前記第１の筐体に接触する前記第２の筐体の角部に緩衝部材が備えられているので、第１の筐体および第２筐体の傷つきや破壊をより抑制することができる。
【００１９】
また、この場合前記第２の筐体は、前記ヒンジ部に対する前記第２の回転軸を中心とする回転範囲が、０度以上１８０度以下であってもよい。
【００２０】
このような構成によれば、第１の筐体を構成する材質より低硬度の材質からなる部分を最小限に抑えることにより、第２の筐体の強度低下をより抑制することができる。
【００２１】
また、本発明の携帯機器は、前記の構成に加えて、前記第１の筐体は、前記第２の筐体を前記第２の回転軸を中心として前記ヒンジ部に対して０度または１８０度回転させた状態で、前記ヒンジ部を前記第１の回転軸を中心として前記第１の筐体に対して回動させたときに、前記第２の筐体によって閉塞される部位に操作キーを備えており、前記操作キーの表面は、前記緩衝部材を構成する材質より高硬度の材料からなる構成としてもよい。
【００２２】
このような構成によれば、第１の筐体および第２の筐体の第１の回転軸を中心とする回動途中で第２の筐体を第２の回転軸を中心に回転させたり、第２の筐体の第２の回転軸を中心とする回転途中で第１の筐体および第２の筐体を第１の回転軸を中心として回動させても、前記操作キーと接触する第２の筐体の部位が、操作キーを構成する材質より低硬度の材質からなるので、第１の筐体ならびに第２筐体および操作キーの傷つきや破壊を抑制することができる。
【００２３】
さらに、本発明の携帯機器は、前記操作キーのうち、前記第２の筐体を前記第２の回転軸を中心として前記ヒンジ部に対して９０度回転させた状態で、前記ヒンジ部を前記第１の回転軸を中心として前記第１の筐体に対して回動させたときに前記第２筐体が接触する部位に配置される操作キーは、他の部位に配置される操作キーよりも耐久性の高い材質からなる構成としてもよい。
【００２４】
このような構成によれば、第２の筐体の第２の回転軸を中心とする回転途中で第１の筐体および第２の筐体を第１の回転軸を中心として回動させたときに、第１の筐体における、第２の筐体と接触する位置に、使用頻度が高く、衝突や接触等に対して耐久性の高い操作キーを配置しているので、操作キーの破壊をより抑制することができる。
【発明の効果】
【００２５】
以上のように、本発明の携帯機器は、前記第２の筐体における前記ヒンジ部側の端部に緩衝部材が備えられている。それゆえ、第１の筐体および第２筐体の傷つきや破壊を抑制することができる。
【発明を実施するための最良の形態】
【００２６】
本発明の実施の形態について、図面を参照して説明する。
本実施の形態にかかる携帯機器は、２つの筐体が開閉自在に連結された折り畳み型の携帯電話機である。なお、本実施の形態にかかる携帯機器は、ラジオ放送やテレビ放送等の視聴機としての機能、および、携帯ゲーム機としての機能を備えている。
【００２７】
図１は、本実施の形態にかかる携帯電話機１の、開いた状態を示す斜視図である。図２は、携帯電話機１の、閉じた状態を示す斜視図である。図３は、携帯電話機１を図２中の矢印ＩＩＩ方向から見た斜視図である。
【００２８】
図１〜図３に示すよう、携帯電話機１は、カメラ機能を有する折り畳み型の携帯電話機であり、カメラ部（図示せず）を備える一方の筐体を表裏反転させることができるタイプの携帯電話機である。
【００２９】
携帯電話機１は、第１の筐体２と、第１の筐体２に対して回動軸５（第１の回転軸）を中心に回動自在に連結されたヒンジ部３と、ヒンジ部３に対して回転軸６（第２の回転軸）を中心に回転自在に連結された第２の筐体４とから構成されている。なお、第１および第２の筐体２，４やヒンジ部３は、ＡＢＳ（Acrylonitrile Butadiene Styrene resin）やＰＣ−ＡＢＳ（Polycarbonate - Acrylonitrile Butadiene Styrene resin）等のプラスチック樹脂を材料として構成されている。
【００３０】
また、回動軸５と回転軸６とは互いに略直交するように設けられている。そして、ヒンジ部３および第２の筐体４は、回動軸５を中心に角変位自在に回転させることができる。これにより、携帯電話機１の形状は、図１に示す開いた状態と図２および図３に示す閉じた状態との間で変化する。
【００３１】
図１および図２に示すように、第１の筐体２は、略矩形形状の表面７ａを有するベース部７と、表面７ａの所定位置から突出して形成された突出部８とからなる。表面７ａは、携帯電話機１を開いた状態で外側に面し、閉じた状態で内側に面する表面である。すなわち、表面７ａは、携帯電話機１を閉じた状態では筐体４によって覆われており（閉塞しており）、携帯電話機１を開くことによって外部に対して開放状態となる。ベース部７は、表面７ａに対して略直角に連なり、表面７ａを挟んで互いに平行に延在する、一対の側面７ｂを有する。
【００３２】
表面７ａには、数字および文字を入力するためのキーなどから構成される入力ボタン群９と、携帯電話機１における各種設定／機能切替を行うための機能ボタン群１０とが設けられている。これら入力ボタン群９や機能ボタン群１０のキートップ部は、ＡＢＳやＰＣ−ＡＢＳ等のプラスチック樹脂を材料として構成されており、さらに機能ボタン群１０のキートップ部には、クロームメッキ等のメッキ加工が施されている。なお、機能ボタン群１０のうち“Ｆキー”については、他の部位に配置されるキー（機能ボタン群１０における“Ｆキー”以外のキー、および、入力ボタン群９の各キー）よりも使用頻度が高いことから、他の部位に配置されるキーよりも耐久性が高い材質を用いている。ただし、これに限らず、機能ボタン群１０における各キーを、同様の材質で形成してもよい。
【００３３】
なお、これら入力ボタン群９および機能ボタン群１０は、第２の筐体４がヒンジ部３に対して０度または１８０度の回転角度で携帯電話機１の開閉操作をした場合、および、携帯電話機１を閉じた状態での携帯電話機１への押圧によってキー操作されないように配置されている。具体的には、携帯電話機１が閉じた状態で、第１および第２の筐体２，４との間に間隙Ａが設けられるよう設計されている。
【００３４】
また、表面７ａには、携帯電話機１を開いた状態での通話等に用いる第１のマイクに対応するマイク孔１１ａと、携帯電話機１を閉じた状態での通話等に用いる第２のマイクに対応するのマイク孔１１ｂとが穿設されている。すなわち、第１のマイクは、マイク孔１１ａを介して伝導された音声を適切に取得（入力）できるように、マイク孔１１ａに対応（関連）する位置に配置されている。同様に、第２のマイクは、マイク孔１１ｂを介して伝導された音声を適切に取得できるように、マイク孔１１ｂに対応する位置に配置されている。第１のマイク孔１１ａは、突出部８が形成された端部側と反対側の端部に配置されている。第２のマイク孔１１ｂは、突出部８の近傍に配置されており、第１の筐体２とヒンジ部３および第２の筐体４とが対向するように回転軸５を中心としてヒンジ部３を第１の筐体２に対して回転させ、携帯電話機１を閉じた状態において、中央部３ｍに対向する位置に配置されている。すなわち、図２に示す、第１の筐体２とヒンジ部３との間に生じる間隙Ｂと、ヒンジ部３と第２の筐体４との間に生じる間隙Ｃとの中間に配置されている。
【００３５】
なお、この第２のマイク孔１１ｂの配置については、携帯電話機１を閉じた状態において、第１の筐体２とヒンジ部３との間に生じる間隙Ｂまたはヒンジ部３と第２筐体４との間に生じる間隙Ｃが上部に来る位置であっても良い。
【００３６】
また、第１のマイクおよびそれに対応する第１のマイク孔１１ａを廃止し、携帯電話機１を開いたときと閉じたときの何れの状態でも第２のマイクを用いるようにしても良い。このような構成とする場合、部品点数の増加を招くことなく、携帯電話機１を開いたときと閉じたときの何れの状態でも通話が可能となるよう構成することができる。
【００３７】
さらに、側面７ｂの一方には、第１の筐体２の内部に収容されるカメラ部の使用時に操作されるシャッタボタン１２が設けられている。
【００３８】
ヒンジ部３に隣り合って位置し、回動軸５が延びる方向に延在する表面７ａの周縁には、突出部８が設けられている。突出部８は、回動軸５が延びる方向に距離を隔てて位置し、表面７ａに対して略水平となる表面８ａと、表面７ａに略直角となるように表面８ａにおける表面７ａと離れた位置に連なる一対の側面８ｂとを有する。表面８ａには、着信メロディ等の音声を高レベルで出力する第１のスピーカ用の、第１のスピーカ孔１３が設けられている。突出部８における回転軸５方向の両端となる面である一対の側面８ｃの各々は、一対の側面７ｃの各々より所定の距離だけ内側に寄った位置で、表面７ａに連なっている。したがって、突出部８は、表面７ａの周縁の両端を除いた中心付近に設けられている。
【００３９】
第１の筐体２には、突出部８に回動自在に設けられたヒンジ部３と、ヒンジ部３に対して回転軸６を中心に回転自在に設けられた第２の筐体４とが接続されている。回転軸６の延長線は、突出部８の中心、つまり、一対の側面８ｃの各々からの距離が等しい位置で回動軸５に直交している。
【００４０】
ヒンジ部３は、回動軸５が延びる方向に延在する中央部３ｍと、中央部３ｍの両端から回転軸６が延びる方向に延在する両端部３ｎとによって、Ｕ字状に形成されている。ヒンジ部３は、両端部３ｎが突出部８の一対の側面８ｃを挟み込むように位置決めされている。ヒンジ部３の内部には、図示しないヒンジ装置とアンテナが収容されている。そして、ヒンジ装置によって、両端部３ｎと側面８ｃとが、回動自在に連結されている。これにより、中央部３ｍと第２の筐体４とが、第１の筐体２に対して回転自在に連結されている。また、アンテナを介して例えば基地局との信号の送受信が行われる。
【００４１】
第２の筐体４は、ヒンジ部３が連結される端部側が一部切り欠かれた略矩形形状の表面４ａを有する。表面４ａには、第１の表示部１４が設けられている。第１の表示部１４は、液晶ディスプレイやＥＬ（electro luminescent）ディスプレイなどによって構成されており、表示ドライバ部を介して与えられる画像データに基づいて画像を表示する。また、表面４ａには、通話等に用いるレシーバのレシーバ孔１５が穿設されている。レシーバ孔１５は、第２の筐体４における、ヒンジ部３が連結される端部側と反対側の（対向する）端部側に配置されている。なお、第１の表示部１４は、表面４ａにおける、ヒンジ部３が連結される端部側とレシーバ孔１５との間に設けられている。また、表面４ａには、第１の表示部１４を外側にして携帯電話機１を閉じたときに用いる操作ボタン群１６が設けられている。操作ボタン群１６は、第１の表示部１４の四隅にそれぞれ設けられている。
【００４２】
また、第２の筐体４には、ヒンジ部３が連結される端部側の切り欠かれた部分に、緩衝部材１７が設けられている。この緩衝部材１７は、ＡＢＳやＰＣ−ＡＢＳ等のプラスチック樹脂や、プラスチック樹脂にメッキ加工を施したものよりも低硬度で且つ弾性を有するＴＰＥ（Thermoplastic-Elastomer）やＴＰＥＥ（Thermoplastic-Polyester-Elastomer）等のゴム含有プラスチック樹脂（エラストマー）などの弾性部材を材料として構成されている。
【００４３】
この緩衝部材１７が設けられる部分は、携帯電話機１を閉じたときに第１の表示部１４が閉塞される状態（表示部１４が第１の筐体２における表面７ａに対向している状態）でのヒンジ部３に対する第２の筐体４の角度を０度、携帯電話機１を閉じたときに第１の表示部１４が開放される状態（第２の筐体４における表示面１４の反対側の面である表面４ｂが、第１の筐体２における表面７ａに対向している状態）でのヒンジ部３に対する第２の筐体４の角度を１８０度としたとき、第２の筐体４をヒンジ部３に対して９０度回転させた状態で、ヒンジ部３を第１の筐体２に対して回動させることにより第１の筐体２に接触する、第２の筐体４の角部である。
【００４４】
このように、第１の筐体２を構成する材質より低硬度の材質からなる緩衝部材１７を備えることにより、第２の筐体４の強度低下を抑制することができ、また、第１の筐体２および第２の筐体４の接触による破損を防止できる。なお、緩衝部材１７は、第１の筐体２を構成する材質と同等、もしくは第１の筐体２を構成する材質よりも硬い材質であっても良い。このような材質を用いる場合、緩衝部材１７が変形したり、第２の筐体４に対して緩衝部材１７が移動する等、第２の筐体４に対する押圧による力や摺動による力を軽減できるような構成とすれば良い。
【００４５】
また、本実施の形態では、ヒンジ部３に対する回転軸６を中心とする第２の筐体４の回転範囲が０度から１８０度となるよう構成し、第２の筐体４を上部（回転軸６の延長線上であって、第２の筐体４に対してヒンジ部３側とは反対側）から見たとき、０度の状態から時計回り（右回り）に１８０度まで回転し、１８０度の状態から反時計回り（左回り）に０度まで回転するよう構成している。したがって、緩衝部材１６は、ヒンジ部３が連結される端部側の一方の角部に設けられている。
【００４６】
このような構成とすることで、第２の筐体４において、第１の筐体２を構成する材質より低硬度の材質からなる部分を最小限に抑えることができ、第２の筐体４の強度低下をより抑制することができる。また、ヒンジ部３に対して第２の筐体４を回転させる場合の、ヒンジ部３と第２の筐体４とを結ぶ信号線（リード線やフレキシブル基板）の捩れを最小限に抑えることができる。さらに、ユーザは、緩衝部材１７が常に表面７ａ側に来るように第２の筐体４を回転させれば良いため、回転方向が認識し易く、誤った方向に回転させることを抑制することができる。そのため、第２の筐体４を誤った方向に回転させることによって生じるヒンジの破壊を抑制することができる。
【００４７】
図３に示すように、表面７ａの反対側に位置するベース部７の表面７ｃには、突出部８の裏側に位置するように、撮影レンズ１８およびフラッシュ１９が並んで設けられている。フラッシュ１９は、後に説明するカメラ部で撮影する際の補助光源として使われる。一般的には、補助光源にはキセノン管が用いられ、また最近では、ＲＧＢのＬＥＤ（light emitting diode）が用いられている。これらの３色のＬＥＤを同時発光させることによって、白色光の照明を得ることができる。
【００４８】
表面７ｃには、撮影レンズ１８の近傍に位置するように、第２の表示部２０および着信メロディ等の音声の出力に用いる第２のスピーカ用の、第２のスピーカ孔２１が並んで設けられている。第２の表示部２０は、液晶ディスプレイやＥＬディスプレイなどによって構成されている。
【００４９】
図４は、携帯電話機１における第１の筐体２、ヒンジ部３、第２の筐体４の連結部を、図１中のＩＶ方向から見た断面図である。この図に示すように、第１の筐体２の内部には、突出部８とベース部７との間で連通する内部空間２２が規定されている。内部空間２２には、撮影レンズ１８の背面側に位置してカメラ部２３と第１のスピーカ２４が収容されている。カメラ部２３は、オートフォーカス機能、２０倍デジタルズーム機能および２倍光学ズーム機能等を備える高性能カメラである。第１のスピーカ２４は着信メロディやラジオ放送またはテレビ放送の音声等を出力する高出力スピーカである。
【００５０】
カメラ部２３は、ＣＣＤ（charge coupled device）イメージセンサまたはＣＭＯＳ（complementary metal oxide semiconductor）イメージセンサなどの撮影素子と、ＲＧＢの３色のカラーフィルタとを備える。カメラ部２３では、被写体で反射されて撮影レンズ１８に入射した光を、カラーフィルタを通してＲＧＢの３色光に変換し、ＲＧＢの３色光をそれぞれＣＣＤに入射させる。
【００５１】
なお、第１のスピーカ２４に代えて通話等に用いられる低出力のレシーバを内部空間２２に収容するようにしても良く、このような構成とすることで、携帯電話機１を閉じた状態で、このレシーバと第１のマイクとを用いた通話を可能とすることができる。また、第１のスピーカ２４を電気的に高出力用と低出力用に切り替えるようにすることでも前述の効果を奏することができるが、この場合には、通話中に第１のスピーカ２４が高出力にならないよう規制する回路を設けると良い。これにより、通話中に第１のスピーカ２４が高出力になることによりユーザが聴覚障害を起こすといったことを防止することができる。
【００５２】
図５は、図１に示した携帯電話機１の分解組立図である。図中には、開いた状態の携帯電話機１が表面７ａおよび４ａ側から示されている。図４および図５に示すよう荷、第１の筐体２は、表面７ａを有するキャビネット２ｐと、表面７ｃを有する背面キャビネット２ｑとから構成されている。第２の筐体４は、表面４ａを有するキャビネット４ｐと、表面４ｂを有する背面キャビネット４ｑとから構成されている。
【００５３】
ヒンジ部３は、キャビネット３ｐと背面キャビネット３ｑとから構成されている。キャビネット３ｐと背面キャビネット３ｑとは、内部にヒンジ装置２５を収容して組み合わされる。ヒンジ装置２５は、中央部３ｍと第２の筐体４とを回転自在に連結するヒンジ機構２６と、両端部３ｎと側面８ｂとを回動自在に連結する２つのヒンジ機構２７とから構成されている。ヒンジ装置２５は、ヒンジ機構２６から２方向に枝分かれして延在し、その先端にヒンジ機構２７が設けられた形状を有する。カメラ部２３および第１のスピーカ２４は、２つのヒンジ機構２７の間に位置して第１の筐体２の内部に収容される。
【００５４】
このような構成によれば、ヒンジ部３に連結される突出部８の内部にまで連通する内部空間２２にカメラ部２３と第１のスピーカ２４が収容される。このため、光学ズーム機能等を備えた大型のカメラ部２３であっても、第１の筐体２の表面７ｃ側を突出させることなく、第１のスピーカ２４とともに第１の筐体２の内部に収容することができる。これにより、第１の筐体２の厚みが大きくなることがないため、携帯電話機１の小型化を図ることができる。
【００５５】
図６は、携帯電話機１を９０度開いた状態（ヒンジ部３および第２の筐体４を、回転軸５を中心に第１の筐体２に対して閉じた状態から９０度回動させた状態）とし、第２の筐体４を、回転軸６を中心にヒンジ部３に対して図１に示す状態から９０度だけ回転させた状態を示す斜視図である。第２の筐体４は、この状態のときに、第１の表示部１４が設けられた表面４ａと、入力ボタン群９および機能ボタン群１０が設けられた第１の筐体２の表面７ａとが直交するように位置決めされている。
【００５６】
図７は、図６に示した状態から、携帯電話機１を１８０度開いた状態（ヒンジ部３および第２の筐体４を、回転軸５を中心に第１の筐体２に対して閉じた状態から１８０度回動させた状態）とし、第２の筐体４を、回転軸６を中心にヒンジ部３に対してさらに９０度だけ回転させた状態を示す斜視図である。この場合、第２の筐体４の表面４ａと第１の筐体２の表面７ｃとが同一方向を向き、第２の筐体４の表面４ｂと第１の筐体２の表面７ａとが同一方向を向くように位置決めされる。なお、図１、図６および図７に示す状態に限らず、第２の筐体４は回転軸６を中心に適当な角度だけ回転させることができる。したがって、表面４ａに設けられた第１の表示部１４を所望の方向に向けることができる。
【００５７】
このように携帯電話機１では、第２の筐体４が、第１の筐体２に対して２方向に回転自在に設けられている。このため、カメラ部２３を用いて被写体を撮影する場合に、ユーザは、その撮影の条件にあわせて第１の表示部１４の向きを選択することができる。たとえば、正面に立った被写体を撮影する場合、ユーザは、第２の筐体４を図１に示す状態に位置決めすればよい。これにより、ユーザは、撮影レンズ１８を被写体に向けながら、第１の表示部１４に映し出された被写体の姿を確認することができる。また、第２の筐体４を図６に示す状態に位置決めすれば、ユーザは、正面に立った被写体の姿を、第１の表示部１４を被写体が位置する方向とは異なる方向臨み込むような姿勢を取りながら確認することができる。
【００５８】
また、ユーザが自分の姿を撮影する場合、ユーザは、第２の筐体４を図７に示す状態に位置決めすれば良い。これにより、撮影レンズ１８を自分に向けながら、第１の表示部１４に映し出された自分の姿を確認することができる。なお、カメラ部２３がセルフタイマ機能を備える場合、ユーザは、携帯電話機１から離れた位置に立って自分の姿を撮影することもできる。また、この場合、図３中の第２の表示部２０にセルフタイマのカウントダウンを表示させても良い。
【００５９】
図８は、図６に示した状態から、携帯電話機１を閉成方向（回転軸５を中心として閉じる方向）に回動させた状態を示す斜視図である。この図に示すように、携帯電話機１において、第２の筐体４に設けられた緩衝部材１７が、第１の筐体２の表面７ａに設けられた機能ボタン群１０のうち“Ｆキー”を押下するように閉じられる。携帯電話機１では、このような場合でも、“Ｆキー”は機能ボタン群１０のうちでも使用頻度が高いことから、他の部位に配置されるキーよりも耐久性が高くなるよう構成されていること、および緩衝部材１７がＴＰＥやＴＰＥＥ等のゴム含有プラスチック樹脂によって構成されていることから、回動時の衝撃に伴う操作キーの破損を抑制することができる。
【００６０】
また、第２の筐体４に対して回動軸５を中心に閉成方向に回動させる力を加えている状態で、第２の筐体４を、回転軸６を中心として回転させると、第２の筐体４に設けられた緩衝部材１７が、第１の筐体２の表面７ａや機能ボタン群１０の一部と接触しながら移動する。この場合、緩衝部材１７が、第１の筐体２の表面７ａや機能ボタン群１０より低硬度の材質である、ＴＰＥやＴＰＥＥ等のゴム含有プラスチック樹脂によって構成されていることから、第１の筐体２の表面７ａや機能ボタン群１０に対する傷の発生を抑制することができる。
【００６１】
図９は、表示面１４が外側を向くように携帯電話機１を閉じた場合の、携帯電話機１の状態を示す斜視図である。また、図１０は、この場合の、第１の筐体２の状態を示す透視斜視図である。すなわち、図９および図１０は、第２の筐体４を図７に示す状態から、第２の筐体４を、回動軸５を中心に閉成方向に回動させた状態を示している。この場合、携帯電話機１は、第１の表示部１４および操作ボタン群１６が設けられた表面４ａが外側を向き、表面４ｂが内側を向くように閉じられる。そして、この場合、ユーザは、例えばシャッタボタン１２（図１参照）に右手の人差し指を掛け、両手で携帯電話機１を把持した状態で撮影を行うことができる。すなわち、携帯電話機１を、専用のデジタルカメラのようにして構えることができる。このため、携帯電話機１をカメラとして用いる際の使い勝手を向上させることができる。
【００６２】
また、この場合、第１の表示部１４と第１のスピーカ２４（あるいはスピーカ孔１３）を略同一面とすることができるため、ラジオ放送やテレビ放送等の視聴機として用いる際の携帯電話機１の使い勝手を向上させることができる。また、レシーバ１５も音声出力部として用いることにより、第１の表示部１４を挟んで左右に音声出力部を配置することもできる。これにより、ステレオ再生を実現することができる。
【００６３】
また、携帯電話機１を閉じた状態で第１の表示部１４を確認しながら操作ボタン群１６を操作することができるため、携帯ゲーム機として用いる際の携帯電話機１の使い勝手を向上させることができる。この場合にも、第１の表示部１４と第１のスピーカ２４（あるいはスピーカ孔１３）が略同一面となることから、ユーザは臨場感のあるゲームを体感することができる。また、第１のスピーカ２４に代えて、もしくは第１のスピーカ２４と並列に、上下左右のキーからなる十字キーを設けるようにしても良い。これにより、携帯ゲーム機として用いる際の操作性を向上することができ、携帯電話機１の使い勝手をより向上させることができる。
【００６４】
さらに、携帯電話機１を閉じた状態で、第２のマイク孔１１ｂは、中央部３ｍに対向する位置、すなわち第１の筐体２とヒンジ部３との間に生じる間隙Ｂと、ヒンジ部３と第２筐体４との間に生じる間隙Ｃとの中間に配置されることから、これら間隙Ｂ，Ｃから間隙Ａを通じて音声を拾いやすく、携帯電話機１を閉じた状態での通話品質を向上することができる。
【００６５】
次に、図１１を参照して、携帯電話機１の電気的構成を説明する。図１１は、携帯電話機１の概略構成を示す機能ブロック図である。この図に示すように、携帯電話機１は、アンテナ２８、無線部２９、通信制御部３０、スピーカ駆動制御部３１、レシーバ３２、第１のスピーカ２４、第２のスピーカ３３、送話制御部３４、第１のマイク３５、第２のマイク３６、表示制御部３７、第１の表示部１４、第２の表示部２０、操作入力部３８、入力ボタン群９、機能ボタン群１０、操作ボタン群１６、カメラ部２３、画像制御部３９、光源制御部４０、フラッシュ１９、記憶部４１、第１のホール素子４２、第２のホール素子４３、状態検出制御部４４および主制御部４５によって構成されている。
【００６６】
無線部２９は、アンテナ２８を介して基地局あるいは他の通信機器との間でやり取りされる通信データの送受信処理を行う。また、この無線部２９では、ラジオ放送やテレビ放送を受信することができる。通信制御部３０は、各種通信の制御を行う。例えば、ラジオ放送やテレビ放送の受信制御や、ウエブサイトにおけるアプリケーションプログラム（例えば、ゲームプログラム等）をウエブサーバーからダウンロードするための送受信制御、発信時における発呼制御、通話制御、着信時における着呼制御、電子メールの送受信制御などが行われる。
【００６７】
スピーカ駆動制御部３１は、音声出力時においてレシーバ３２、第１スピーカ２４、第２のスピーカ３３を駆動する制御を行う。この第１のスピーカ２４および第２のスピーカ３３における駆動状態の切り替えは、状態検出制御部４４による端末状態の検出結果や、携帯電話機１の各種機能の使用状態に基づいて行われる。
【００６８】
送話制御部３４は、通話時に第１のマイク３５および第２のマイク３６から入力される音声信号の入力制御を行う。この第１のマイク３５および第２のマイク３６からの入力の切り替え（第１のマイク３５および第２のマイク３６の有効／無効の切り替え）は、状態検出制御部４４による端末状態の検出結果に基づいて行われる。
【００６９】
表示制御部３７は、第１の表示部１４および第２の表示部２０に表示する内容を切り替える制御を行う。この画面表示の切り替えは、状態検出制御部４４による端末状態の検出結果等に基づいて行われる。操作入力部３８は、入力ボタン群９、機能ボタン群１０、操作ボタン群１６におけるキー操作に基づいて入力処理を行う。
【００７０】
画像制御部３９は、カメラ部２３からの撮像データや記憶部４１から読み出された画像データを表示用データに展開したり、ＪＰＥＧデータに圧縮するなどの制御を行う。光源制御部４０はフラッシュ１９の発光制御を行う。
【００７１】
状態検出制御部４４は、携帯電話機１がいずれの端末状態にあるのかの検出を行う状態検出手段である。すなわち、第１および第２のホール素子４２，４３のオンオフに基づいて、携帯電話機１が閉じているかどうか、また第２の筐体４がヒンジ部３に対して０度の状態にあるのかが判別される。これにより、端末状態が自動的に検出されるので、音声の入出力や画像表示の切り替えを自動的に行わせることができる。なお、第１および第２のホール素子４２，４３は、第１または第２の筐体２，４あるいはヒンジ部３に設けられ、第１および第２のホール素子４２，４３に対向する他の筐体に設けられたマグネットからの磁力を検知することでオンオフするようになっている。
【００７２】
次に、図１２および図１３を参照して、携帯電話機１の開閉動作および第２の筐体４の回転動作に伴う音声入力や表示内容の切り替え制御動作を説明する。図１２は、携帯電話機１における音声入力や表示内容の切り替え制御動作の流れを示すフロー図である。
【００７３】
電源ＯＮ時（待受時、通話時、テレビ視聴時等）において、主制御部４５は、状態検出部４４からの検出信号を監視している。この状態で、状態検出部４４が携帯電話機１の状態変化を検出すると、主制御部４５は状態検出部４４からの検出信号に基づいて音声入力や表示内容の切り替え制御を行う。
【００７４】
具体的には、まず、主制御部４５は、状態検出部４４によって、第２の筐体４およびヒンジ部３が、第１の筐体１に対して０度の状態であるか否か、すなわち、携帯電話機１が閉じられているか否かを検出する（ステップＳ１）。そして、携帯電話機１が閉じられている場合、主制御部４５は、状態検出部４４によって、第２の筐体４がヒンジ部３に対して回転しているか否かを検出する（ステップＳ２）。
【００７５】
ここで、第２の筐体４がヒンジ部３に対して回転している場合、主制御部４５は、表示制御部３７を制御し、第１の表示部１４をオフにし（ステップＳ３）、第２の表示部２０をオンにする（ステップＳ４）。さらに、主制御部４５は、送話制御部３４を制御して、第１のマイクをオフ（無効）にし（ステップＳ５）、第２のマイクをオン（有効）にする（ステップＳ６）。そして、音声入力や表示内容の切り替え制御動作を終了する。
【００７６】
一方、ステップＳ２において、第２の筐体４がヒンジ部３に対して回転していなかった場合、すなわち、状態検出部４４が、第２の筐体４がヒンジ部３に対して１８０度回転された状態で携帯電話機１が閉じられたことを検出した場合、主制御部４５は、表示制御部３７を制御し、第１の表示部１４をオンにし（ステップＳ７）、第２の表示部２０をオフにする（ステップＳ８）。その後、ステップＳ６およびＳ６の処理を行い、音声入力や表示内容の切り替え制御動作を終了する。
【００７７】
また、ステップＳ１において、携帯電話機１が閉じていなかった場合、主制御部４５は、状態検出部４４によって、第２の筐体４がヒンジ部３に対して回転しているか否かを検出する（ステップＳ９）。すなわち、状態検出部４４によって、第２の筐体４がヒンジ部３に対して０度の状態で、携帯電話機１が開かれているか否かを検出する。
【００７８】
そして、第２の筐体４がヒンジ部３に対して回転していない場合、主制御部４５は、主制御部４５は、表示制御部３７を制御し、第１の表示部１４をオンにするとともに、第１の表示部１４の一部（例えば画面左下）に、第２の筐体４が右回りに回転可能なことを視覚的に表す“右回りアイコン”を表示させる。図１３（ａ）は、第１の表示部１４の画面左下に、第２の筐体４が右回りに回転可能なことを視覚的に表す“右回りアイコン”を表示した状態を示す平面図である。
【００７９】
さらに、主制御部４５は、第２の表示部２０をオフする（ステップＳ１２）とともに、送話制御部３４を制御し、第１のマイクをオン（ステップＳ１３）、第２のマイクをオフする（ステップＳ１４）。これにより、音声入力や表示内容の切り替え制御動作を終了する。
【００８０】
一方、ステップＳ９において、第２の筐体４がヒンジ部３に対して回転していた場合、すなわち、状態検出部４４によって、第２の筐体４がヒンジ部３に対して１８０度回転した状態で携帯電話機１が開かれたことを検出した場合、主制御部４５は、表示制御部３７を制御し、第１の表示部１４をオンにするとともに、第１の表示部１４の一部（例えば画面左下）に、第２の筐体４が左回りに回転可能なことを視覚的に表す“左回りアイコン”を表示させる。図１３（ｂ）は、第１の表示部１４の画面左下に、第２の筐体４が左回りに回転可能なことを視覚的に表す“左回りアイコン”を表示した状態を示す平面図である。
【００８１】
さらに、主制御部４５は、第２の表示部２０をオフする（ステップＳ１２）とともに、送話制御部３４を制御し、第１のマイクをオン（ステップＳ１３）、第２のマイクをオフする（ステップＳ１４）。これにより、音声入力や表示内容の切り替え制御動作を終了する。
【００８２】
このように、携帯電話機１が開いているとき、第１の表示部１４の一部（例えば画面左下）に、第２の筐体４が回転可能な方向を視覚的に表すアイコンを表示することにより、ユーザが回転方向を認識し易くなり、ユーザが誤った方向に回転させることを抑制することができる。そのため、第２の筐体４を誤った方向に回転させることによって生じるヒンジの破壊を抑制することができる。しかも、本実施の形態では、上記したように、ユーザは緩衝部材１７の位置から回転可能な方向の認識することもできるので、回転可能な方向の視認性がより高くなっている。
【００８３】
なお、第２の表示部２０にも第２の筐体４が回転可能な方向を視覚的に表すアイコンを表示するようにしても良い。これにより、第２の筐体４のヒンジ部３に対する回転角度が０度の状態で携帯電話機１が開かれた場合であって、第１の筐体２の主表面７ｃ側から携帯電話機１を見た場合でも、ユーザは第２の筐体４の回転可能な方向を認識することができる。そのため、第２の筐体４を誤った方向に回転させることによって生じるヒンジの破壊をより一層抑制することができる。
【００８４】
また、例えば、第１のスピーカ孔１３に代えて表示部を設け、この表示部に、第２の筐体４が回転可能な方向を視覚的に表すアイコンを表示するようにしても良い。これにより、第２の筐体４のヒンジ部３に対する回転角度が１８０度の状態で携帯電話機１が開かれた場合であって、第１の筐体２の主表面７ａ側から携帯電話機１を見た場合でも、ユーザは第２の筐体４の回転可能な方向を認識することができる。このため、第２の筐体４を誤った方向に回転させることによって生じるヒンジの破壊をより一層抑制することができる。
【００８５】
また、第２の筐体４が回転可能な方向を視覚的に表すアイコンは、携帯電話機１の開閉操作が行われた場合には即座に表示を切り替え、第２の筐体４の回転操作が行われた場合には即座に表示を切り替えないようにしてもよい。例えば、第２の筐体４の回転途中（１度〜１７９度）においては、表示中のアイコンの表示を維持し、第２の筐体４の回転が完了（０度または１８０度）したとき、その状態に基づくアイコンを表示するようにしてもよい。これにより、ユーザが、回転途中において回転可能な方向を誤認することを防止できる。したがって、ユーザは、当初希望した方向に第２の筐体４を確実に回転させることができる。
【００８６】
また、第２の筐体４の回転途中（１度〜１７９度）においては、右回転および左回転の両方が可能なことから右回りアイコンあるいは左回りアイコンを表示しなくても良く、また、図１３（ｃ）に示すように、右回転および左回転の両方が可能なことを視覚的に表すアイコン（左右回りアイコン）を表示するようにしても良い。
【００８７】
なお、本実施の形態では、折り畳み型の携帯電話機１を用いて説明したが、本発明による携帯機器はこれに限定されるものではない。本発明は、例えば、折り畳み式のＰＨＳ（Personal Handyphone System；登録商標）、折り畳み式のＰＤＡ（personal digital assistants）、折り畳み式のノート型パソコン、折り畳み式のワードプロセッサなどの、他の折り畳み式の携帯機器に対しても適用できる。
【００８８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００８９】
本発明は、折り畳み式の携帯電話機、折り畳み式のＰＨＳ（登録商標）、折り畳み式のＰＤＡ、折り畳み式のノート型パソコン、折り畳み式のワードプロセッサなど、折り畳み式の携帯機器（情報端末装置）に対して適用できる。
【図面の簡単な説明】
【００９０】
【図１】本発明の一実施の形態にかかる携帯機器における、開いた状態を示す斜視図である。
【図２】本発明の一実施の形態にかかる携帯機器における、閉じた状態を示す斜視図である。
【図３】本発明の一実施の形態にかかる携帯機器における、閉じた状態を、図２中の矢印ＩＩＩ方向から見た携帯電話機を示す斜視図である。
【図４】本発明の一実施の形態にかかる携帯機器における、第１の筐体、ヒンジ部、第２の筐体の連結部を、図１中のＩＶ方向から見た断面図である。
【図５】本発明の一実施の形態にかかる携帯機器の分解組立図である。
【図６】本発明の一実施の形態にかかる携帯機器において、ヒンジ部および第２の筐体を、第１の筐体２に対して閉じた状態から９０度回動させた状態とし、第２の筐体を、ヒンジ部に対して図１に示す状態から９０度だけ回転させた状態を示す斜視図である。
【図７】本発明の一実施の形態にかかる携帯機器において、図６に示した状態から、ヒンジ部および第２の筐体を、第１の筐体２に対して閉じた状態から１８０度回動させた状態とし、第２の筐体を、ヒンジ部に対してさらに９０度だけ回転させた状態を示す斜視図である。
【図８】本発明の一実施の形態にかかる携帯機器において、図６に示した状態から、ヒンジ部および第２の筐体を、第１の筐体２に対して閉じる方向に回動させた状態を示す斜視図である。
【図９】本発明の一実施の形態にかかる携帯機器において、表示面が外側を向くように携帯機器を閉じた場合の状態を示す斜視図である。
【図１０】本発明の一実施の形態にかかる携帯機器において、表示面が外側を向くように携帯機器を閉じた場合の、第１の筐体の状態を示す透視斜視図である。
【図１１】本発明の一実施の形態にかかる携帯機器の概略構成を示す機能ブロック図である。
【図１２】本発明の一実施の形態にかかる携帯機器における、音声入力や表示内容の切り替え制御動作を示すフロー図である。
【図１３】図１中の携帯電話機の画面表示例を示す説明図である。
【図１４】従来において、２つの回転軸を備えた折り畳み型の携帯電話機の開いた状態を示す斜視図である。
【図１５】図１４中の携帯電話機の閉じた状態を示す斜視図である。
【図１６】図１４中の矢印ＸＩＩＩから見た携帯電話機を示す斜視図である。
【図１７】図１４中のメイン表示部が設けられた筐体を回転させた場合の携帯電話機を示す斜視図である。
【符号の説明】
【００９１】
１      携帯電話機（携帯機器）
２      第１の筐体
３      ヒンジ部
４      第２の筐体
５      回動軸
６      回転軸
７      ベース部
８      突出部
９      入力ボタン群
１０    機能ボタン群
１１ａ  第１のマイク孔
１１ｂ  第２のマイク孔
１２    シャッタボタン
１３    第１のスピーカ孔
１４    第１の表示部
１５    レシーバ孔
１６    操作ボタン群
１７    緩衝部材
１８    撮影レンズ
１９    フラッシュ
２０    第２の表示部
２１    第２のスピーカ孔
２２    内部空間
２３    カメラ部
２４    第１のスピーカ
２５    ヒンジ装置
【図１】
2005286429.tif 000003
【図２】
2005286429.tif 000004
【図３】
2005286429.tif 000005
【図４】
2005286429.tif 000006
【図５】
2005286429.tif 000007
【図６】
2005286429.tif 000008
【図７】
2005286429.tif 000009
【図８】
2005286429.tif 000010
【図９】
2005286429.tif 000011
【図１０】
2005286429.tif 000012
【図１１】
2005286429.tif 000013
【図１２】
2005286429.tif 000014
【図１３】
2005286429.tif 000015
【図１４】
2005286429.tif 000016
【図１５】
2005286429.tif 000017
【図１６】
2005286429.tif 000018
【図１７】
2005286429.tif 000019